【手続補正書】
【提出日】平成18年1月19日(2006.1.19)
【手続補正１】
【補正対象書類名】明細書
【補正対象項目名】特許請求の範囲
【補正方法】変更
【補正の内容】
【特許請求の範囲】
【請求項１】  モニタ懸架装置において：
(1) モニタをクレードルで支持するための手段であって、モニタを確実に保持するように配列された複数のストラップを備え、前記ストラップの少なくとも一つは、前記モニタのスクリーンから、前記モニタの対向する端部で、前記モニタの裏面と係合するように適応され、前記少なくとも１つのストラップの端部が作業面に結合するように適応され、前記少なくとも一つのストラップの長さは、前記作業面に対する前記スクリーンの角度を変更する為に調整可能である、モニタ・クレードル支持手段と；
(2) 前記モニタ・クレードル支持手段を旋回可能に前記作業面に結合するための手段であって、ヒンジを備え、前記ヒンジの第１部材が前記ストラップの少なくとも一つに結合され、前記ヒンジの第２部材が前記作業面に結合されるように適応されている、前記手段と；
を備える、モニタ懸架装置。
【請求項２】  モニタ懸架装置において：
(1)モニタのスクリーンから前記モニタの対向する端部で、前記モニタの裏面と係合するように適応された第１モニタ支持ストラップであって、前記第１ストラップの前記端部は、作業面に結合されるように適応され、前記第１ストラップの長さは、調整可能である、前記第１モニタ支持ストラップと、前記モニタの近端を周縁方向に係合するように適応された第２モニタ支持ストラップと；
(2) 前記モニタを前記作業面に旋回可能に結合するように適合されたピボット・ヒンジであって、前記ピボット・ヒンジは第１部材と第２部材を備え、前記第１部材は、前記モニタの前記近端を周縁方向に係合するように適応されたピボット・ヒンジと；
を備える、前記モニタ懸架装置。
【請求項３】  モニタを作業面の下に懸架して前記モニタを見るためのモニタ懸架装置において：
前記モニタを支持する為にモニタと係合可能な複数のストラップであって、少なくとも一つの前記ストラップは、前記作業面に接続されるように適応され、前記モニタのスクリーンから前記モニタの対向する端部で、前記モニタの裏面と係合し、前記少なくとも一つのストラップの長さは調整可能である、前記複数のストラップと；
前記少なくとも一つのストラップの長さを調整することに応答して、前記モニタを前記作業面に対して旋回させて、前記作業面に対する前記モニタのスクリーンの角度を変化させるために前記作業面と前記ストラップを接続する為のカップリングと；を備える、前記モニタ懸架装置。
【請求項４】  前記カップリングは、少なくとも一つのフック部材を含み、前記フック部材は、前記ストラップに動作可能に接続され、前記作業面により支持されるように適応された、間隔をおいて配置された支持ブラケットに接続された矩形ピボットロッドと係合可能である、請求項３に記載の懸架装置。
【請求項５】  前記懸架装置を前記作業面に接続する為に、前記少なくとも一つのストラップは、その対向する端部で、ストラップ支持組立体に接続されるように適合された側方ストラップ組立体を備え、前記側方ストラップ組立体は、前記作業面に対して前記スクリーンの角度を調整する為に、前記側方ストラップ組立体の有効長を調整する為に少なくとも一つの調整手段を備える、請求項３に記載の懸架装置。
【請求項６】  前記複数のストラップは、前記モニタの周囲で周縁方向に伸長するように適合され、それと把持係合される、少なくとも一つの把持ストラップを含む、請求項３に記載の懸架装置。
【請求項７】  前記複数のストラップは、
前記把持ストラップ組立体の一端で接続され、前記モニタの裏面の周囲で伸長するように適合され、その対向する端部で前記把持ストラップ組立体に接続される、少なくとも1つの垂直ストラップ組立体を含む、請求項６に記載の懸架装置。
【請求項８】  前記複数のストラップは、
前記把持ストラップ組立体から間隔を開けて配置され、前記モニタの裏面および近端の間で前記モニタの周囲で伸長するように適合された、少なくとも1つの周縁支持ストラップを含む、請求項６に記載の懸架装置。
【請求項９】  作業面の下にモニタを懸架して前記モニタを見る為のモニタ懸架装置において：
周縁把持ストラップと、前記モニタに加えられる把持力を調整する為に前記把持ストラップに固定された締め付けクランプ組立体と、を含むストラップ組立体と；
前記モニタのスクリーンから前記モニタの対向する端部で、前記モニタの裏面を係合するように適合された側方ストラップであって、前記側方ストラップの端部は、前記作業面に結合されるように適合され、前記側方ストラップの長さは、前記作業面に対して前記スクリーンの角度を変更する為に調整可能である、前記側方ストラップと；
前記ストラップ組立体と前記モニタを前記作業面に対して旋回させ、前記モニタのスクリーンの角度を前記作業面に対して変更する為に、前記ストラップアセンブリと係合されるカップリングと；を備える、前記懸架装置。
【請求項１０】  前記ストラップ組立体は、前記モニタの対向表面と係合可能な複数の実質的剛性部材を含み、前記把持ストラップは、前記剛性部材と係合される、請求項９に記載の懸架装置。
【請求項１１】  前記剛性部材に接続された非スリップ・バッキングであって、それぞれが前記モニタの前記対向表面と係合可能な前記非スリップ・バッキングを含む、請求項１０に記載の懸架装置。
【請求項１２】  前記クランプ組立体は、前記ストラップ組立体の前記剛性部材の一つに接続される、請求項１０に記載の懸架装置。
【請求項１３】  前記カップリングは、前記ストラップ組立体の前記剛性部材の一つに接続される、請求項１０に記載の懸架装置。
【請求項１４】  前記剛性部材は、それぞれ、そのチャネルに前記把持ストラップを受容する為に適合された矩形のチャネル状部材を備える、請求項１０に記載の懸架装置。
【請求項１５】  一端で前記把持ストラップに動作可能に接続され、前記モニタの裏面の周囲で伸長するように適合され、動作可能に対向する端部で前記把持ストラップに接続された、少なくとも一つの垂直ストラップを含む、請求項９に記載の懸架装置。
【請求項１６】  前記側方ストラップは、前記懸架装置を前記作業面に接続する為に、その対向する端部でストラップ支持組立体に接続され、前記側方ストラップは、前記側方ストラップの有効長を調整して前記作業面に対して前記スクリーンの角度を調整する為に、少なくとも一つの調整手段を備える、請求項９に記載の懸架装置。
【請求項１７】  前記ストラップ組立体は、
前記把持ストラップから間隔をあけて配置され、前記モニタの裏面および近端の間で前記モニタの周囲で伸長するように適合された、少なくとも一つの周囲支持ストラップを含む、請求項９に記載の懸架装置。
【請求項１８】  作業面に対しモニタを懸架する為の方法において：
モニタをクレードルで支持するためのモニタ・クレードル支持手段を提供するステップであって、前記モニタ・クレードル支持手段は、複数のストラップとカップリングを備え、前記複数のストラップは、前記モニタを確実に保持するように配列され、少なくとも一つの前記ストラップは、前記モニタのスクリーンから前記モニタの対向する端部で前記モニタの裏面と係合するように適合され、前記少なくとも一つのストラップの長さは、調整可能であり、前記カップリングは、前記モニタ・クレードル手段を前記作業面に旋回可能に結合し、前記作業面に対して前記モニタのスクリーンの角度を変更する為に前記作業面に対する前記モニタの旋回に備える、前記ステップと；
前記カップリングを前記作業面に接続するステップと；
前記少なくとも一つのストラップの長さを調整するステップであって、前記モニタと前記クレードル手段を前記作業面に対し、前記作業面に対して前記モニタのスクリーンの所望の角度まで旋回させる、前記ステップと；を備える、前記方法。
【請求項１９】  前記モニタをその対向表面で確実に把持するように適合された把持      
ストラップ組立体を含む前記複数のストラップを前記モニタ・クレードル手段に備えるステップと；
前記モニタとの係合の為に所定の位置に前記把持ストラップ組立体を配置するステップと；
前記モニタが前記作業面に対して懸架されるとき確実に前記モニタを把持する為に、前記把持ストラップ組立体に締付け力を加えるステップと；を含む、請求項１８に記載の方法。